(57)【要約】【課題】工具の種類に対応した補正値を確実に入力することができる補正値入力装置を提供する。【解決手段】予め決められた複数種類の工具８２でそれぞれ加工されるワークＷの複数の加工部位と、複数の加工部位毎に付与された複数の名称と、複数の加工部位毎に予め設定された複数の補正値とを記憶する記憶部５０と、複数の名称と複数の補正値とを対応つけて表示部１０に表示する制御部３１と、オペレータにより選択された名称に対応つけられた補正値を入力する入力部３２とを備える。【選択図】図２
2016162265.tif 000002
【特許請求の範囲】
【請求項１】
ワークの寸法計測値と設計値との差を補正する補正値を工作機械に入力可能な補正値入力装置であって、
予め決められた複数種類の工具でそれぞれ加工される前記ワークの複数の加工部位と、該複数の加工部位毎に付与された複数の名称と、前記複数の加工部位毎に予め設定された複数の補正値とを記憶する記憶部と、
前記複数の名称と前記複数の補正値とを対応つけて表示部に表示する制御部と、
オペレータにより選択された名称に対応つけられた補正値を入力する入力部と、を備える補正値入力装置。
【請求項２】
前記複数の名称は、それぞれ対応する前記複数の加工部位を認識可能な名称である請求項１に記載の補正値入力装置。
【請求項３】
前記記憶部は、前記複数の加工部位に対応する前記複数種類の工具に付与された工具番号を前記複数の加工部位毎に記憶し、
前記制御部は、前記複数の名称に対応つけて前記工具番号を前記表示部に表示する請求項１または請求項２に記載の補正値入力装置。
【請求項４】
前記記憶部は、前記複数の加工部位毎に予め設定された前記複数種類の工具の移動方向を記憶し、
前記入力部は、オペレータにより選択された名称に対応つけられた補正値を、該名称に対応つけられた工具の移動方向の移動量の補正値として入力する請求項１から請求項３のいずれか１項に記載の補正値入力装置。
【請求項５】
前記入力部は、オペレータの操作に応じて、入力した前記補正値を増減する請求項１から請求項４のいずれか１項に記載の補正値入力装置。
【発明の詳細な説明】
【技術分野】
【０００１】
本発明は、ワークの寸法計測値と設計値との差を補正する補正値を工作機械に入力可能な補正値入力装置に関する。
【背景技術】
【０００２】
工作機械、例えば旋盤は、旋盤本体と、その旋盤本体を制御する制御部とを有する。その制御部は、ワークの各部が図面等に記述された要求されるワークの設計値となるように、ワークに対する工具（ツール）の相対移動量を制御してワークを加工するが、工具の摩耗や、機械の熱変位により、加工されたワークの寸法が変化する。そこで、オペレータ（作業者）が計測器によりワークの加工部位の寸法を計測し、補正値入力装置がワークの加工部位の寸法設計値と設計値との差に応じた補正値を上記移動量の補正値として入力する。工作機械は、補正値入力装置により入力された補正値に基づきワークの加工の補正を行う。
【０００３】
例えば特許文献１には、オペレータにより計測されたワークの加工部位の寸法計測値を入力した場合に、その寸法計測値に基づいて適正な補正値（オフセット値）を自動的に演算する補正値入力装置が開示されている。
【先行技術文献】
【特許文献】
【０００４】
【特許文献１】実開平６−７４２５４号公報
【発明の概要】
【発明が解決しようとする課題】
【０００５】
工作機械では、ワークにおける複数の加工部位をそれぞれ異なる複数種類の工具を用いて加工する。そして、工具の種類に応じて適正な補正値が異なる。オペレータは、一般に、補正値入力装置に補正値を入力する際、現在、ワークの加工に用いている工具の種類（工具の用途）を工具番号で確認し、工具番号に対応する補正番号を対応表などで確認する。そして、オペレータは、補正値入力装置において補正番号を選択して工具の種類に応じた補正値を入力する。
【０００６】
しかしながら、対応表などで工具番号に対応する補正番号を確認する作業はオペレータにとって煩わしいものである。また、補正番号は工具番号と必ずしも一致しているわけではなく、オペレータが工具番号と補正番号とが一致していると勘違いして誤った補正番号を補正値入力装置に入力してしまうおそれもある。
【０００７】
本発明は、前述した事情に鑑みてなされたものであり、対応表などを参照することなく、工具の種類に対応した補正値を確実に入力することができる補正値入力装置を提供することを目的とする。
【課題を解決するための手段】
【０００８】
上記目的を達成するために、本発明では、ワークの寸法計測値と設計値との差を補正する補正値を工作機械に入力可能な補正値入力装置であって、予め決められた複数種類の工具でそれぞれ加工されるワークの複数の加工部位と、該複数の加工部位毎に付与された複数の名称と、複数の加工部位毎に予め設定された複数の補正値とを記憶する記憶部と、複数の名称と複数の補正値とを対応つけて表示部に表示する制御部と、オペレータにより選択された名称に対応つけられた補正値を入力する入力部と、を備えることを特徴とする。
【０００９】
また、複数の名称は、それぞれ対応する複数の加工部位を認識可能な名称であることが好ましい。また、記憶部は、複数の加工部位に対応する複数種類の工具に付与された工具番号を複数の加工部位毎に記憶し、制御部は、複数の名称に対応つけて工具番号を表示部に表示する構成でもよい。
【００１０】
また、記憶部は、複数の加工部位毎に予め設定された複数種類の工具の移動方向を記憶し、入力部は、オペレータにより選択された名称に対応つけられた補正値を、該名称に対応つけられた工具の移動方向の移動量の補正値として入力する構成でもよい。また、入力部は、オペレータの操作に応じて、入力した補正値を増減する構成でもよい。
【発明の効果】
【００１１】
本発明によれば、予め決められた複数種類の工具でそれぞれ加工されるワークＷの複数の加工部位と、複数の加工部位毎に付与された複数の名称と、複数の加工部位毎に予め設定された複数の補正値とを記憶する記憶部と、複数の名称と複数の補正値とを対応つけて表示部に表示する制御部と、オペレータにより選択された名称に対応つけられた補正値を入力する入力部とを備える。このような構成によれば、オペレータは名称を選択することにより補正値の入力を行うことができる。従って、対応表などを参照することなく、工具の種類に対応した補正値をミスなく確実に入力することができる。
【００１２】
また、複数の名称は、それぞれ対応する複数の加工部位を認識可能な名称であるので、オペレータは名称に基づいて加工部位（工具の種類、用途）を認識し、加工部位に対応した補正値の入力を行うことができる。よって、より補正値の入力ミスが防止される。また、記憶部は、複数の加工部位に対応する複数種類の工具に付与された工具番号を複数の加工部位毎に記憶し、制御部は、複数の名称に対応つけて工具番号を表示部に表示するので、オペレータは名称と工具番号に基づいて補正値を選択することができ、より一層、補正値の入力ミスをなくすことができる。
【００１３】
また、記憶部は、複数の加工部位毎に予め設定された複数種類の工具の移動方向を記憶し、入力部は、オペレータにより選択された名称に対応つけられた補正値を、名称に対応つけられた工具の移動方向の移動量の補正値として入力する。このような構成によれば、オペレータが工具による加工の軸方向を意識することなく補正値の入力を行うことができる。また、入力部は、オペレータの操作に応じて、入力した補正値を増減するので、オペレータによって補正値の微調整を行うことができる。
【図面の簡単な説明】
【００１４】
【図１】本実施形態に係る補正値入力装置、複数台の工作機械、及びＰＣの配置を示す図である。
【図２】図１に示す補正値入力装置及び工作機械の構成を示すブロック図である。
【図３】旋盤本体の構造を示す断面図である。
【図４】工具のチップの摩耗と補正値との関係を示す図である。
【図５】記憶部におけるデータベースのデータ構造の一例を示す図である。
【図６】補正値入力装置による補正値入力処理の一例を示すフローチャートである。
【図７】表示部の表示画面の例を示す図である。
【発明を実施するための形態】
【００１５】
以下、本発明の実施形態について図面を参照して説明する。ただし、本発明はこれに限定されるものではない。また、図面においては実施形態を説明するため、一部分を大きく又は強調して記載するなど適宜縮尺を変更して表現する場合がある。
【００１６】
図１は、本実施形態に係る補正値入力装置１、複数台の工作機械２Ａ〜２Ｄ、及びＰＣ７（Personal Computer）の配置を示す図である。図１に示す本実施形態に係る補正値入力装置１は、オペレータ（作業者）が計測器３（測定器ともいう。）を用いて手動で計測（測定）したワークの寸法計測値に対する補正値（補正量やオフセット値ともいう。）を例えば旋盤のような工作機械２Ａ〜２Ｄに入力する装置である。本実施形態において、「補正値」は、工作機械２Ａ〜２Ｄにおいてワークの加工部位（例えば、内径、外径、端面（幅））の寸法をどの程度補正するかを示す寸法データ（例えばμｍ単位のデータ）で表される。また、「補正値」は、工作機械２Ａ〜２Ｄにおいて補正値に基づき加工された補正後の加工済ワークの寸法が予め設定されたワークの加工部位の設計値（基準値）の公差（すなわち許容される加工最大誤差）内に収まるような補正値とされる。なお、ワークの加工部位の設計値は、図面等に記述されたワークの加工部位において要求される寸法の値である。
【００１７】
この補正値入力装置１は、工作機械２Ａ〜２Ｄで加工された加工済のワークの寸法を計測する場所である計測ステーション５に設置されている。また、この補正値入力装置１は、工作機械２Ａ〜２Ｄ及びＰＣ７との間でデータ通信可能に構成されている。本実施形態においては、補正値入力装置１は、工作機械２Ａ〜２Ｄ及びＰＣ７との間で無線通信可能に構成されている。ただし、補正値入力装置１は、工作機械２Ａ〜２Ｄ及びＰＣ７との間においてＬＡＮ（Local Area Network）などのような有線でデータ通信可能に構成されてもよい。本実施形態では、補正値入力装置１は、ＰＣ７から送信される工作機械に関する工作機械情報及びワークに関するワーク情報を受信して登録する。また、補正値入力装置１は、オペレータの操作に応じて入力した補正値を示す補正値データを工作機械２Ａ〜２Ｄに転送する。
【００１８】
計測ステーション５には、オペレータが加工済のワークの加工部位の寸法を計測するためのノギスなどの計測器３が置かれている。なお、図１では、計測ステーション５に置かれている計測器として１つの計測器３だけを示しているが、ワークの複数の加工部位を計測するための複数の計測器３が計測ステーション５に置かれる。この計測ステーション５は、例えば工作機械２Ａ〜２Ｄが設けられている工場内であって、工作機械２Ａ〜２Ｄが設けられている場所とは異なる場所に設けられている。
【００１９】
工作機械２Ａ〜２Ｄは、加工設定値に基づいてワークを加工する機械である。ここで、「加工設定値」としては、ワークの加工を行うための加工プログラム及び各種パラメータを含む。また、「ワーク」とは、加工される対象物、すなわち被加工物のことをいう。工作機械２Ａ〜２Ｄは、それぞれ、補正値入力装置１との間でデータ通信可能に構成されている。本実施形態においては、工作機械２Ａ〜２Ｄは、それぞれ、補正値入力装置１との間で無線通信可能に構成されている。ただし、工作機械２Ａ〜２Ｄは、それぞれ、補正値入力装置１との間においてＬＡＮなどのような有線でデータ通信可能に構成されてもよい。工作機械２Ａ〜２Ｄは、それぞれ、補正値入力装置１から転送される補正値データを受信すると、受信した補正値データに基づいて加工設定値（例えばパラメータ）を変更することで、ワークの加工部位における寸法の補正（調整）を行う。なお、図１においては、工作機械として４台の工作機械２Ａ〜２Ｄが設けられているが、４台未満の工作機械であっても、５台以上の工作機械であってもよい。
【００２０】
ＰＣ７は、例えば工場内に設けられている管理用端末である。このＰＣ７は、工場内に設けられている工作機械２Ａ〜２Ｄに関する工作機械情報と、各工作機械２Ａ〜２Ｄが加工可能なワークに関するワーク情報とを不図示の記憶装置などに記憶している。そして、ＰＣ７は、管理者（この管理者は工作機械を操作するオペレータであってもよくオペレータでなくてもよい。以下同じ。）の操作に応じて、工作機械情報及びワーク情報を補正値入力装置１に送信する。
【００２１】
オペレータによる補正値の入力操作について図１を参照して簡単に説明する。工作機械（例えば工作機械２Ａ）の稼働中に、オペレータ（例えば工作機械２Ｃのオペレータ）が所定個数毎（例えば１００個毎）や所定時間毎（例えば１時間毎）に工作機械（例えば工作機械２Ａ）で加工された加工済のワークを計測ステーション５に持っていく。そして、オペレータは、計測器３を用いて手動でワークの加工部位の寸法を計測する。次に、オペレータは、補正値入力装置１の操作部（図２に示すタッチパネル１１や操作ボタン２０）を操作して、現在、ワークの加工に用いている工具の種類（工具の用途；例えば、外径切削用、内径切削用、端面切削用）に応じた補正値を入力する。本実施形態では、後述するように、複数種類の工具とワークにおける複数の加工部位とがそれぞれ対応つけられている。また、複数の加工部位毎に、それぞれの加工部位（工具の種類）を認識可能な名称が付され、複数の加工部位毎に、加工部位（工具の種類）に応じた補正値が設定されている。従って、オペレータは、加工部位に応じた名称を選択することで、工具の種類に応じた補正値を入力することができる。
【００２２】
次に、オペレータは、補正値入力装置１の操作部を操作して、計測器３で計測したワークの加工部位の寸法（つまり寸法計測値）とワークの設計値との差分（差、誤差）に基づいて、補正値入力装置１に入力した補正値を増減する。補正値入力装置１は、オペレータによって入力された補正値を示す補正値データを工作機械（例えば工作機械２Ａ）に転送する。その工作機械は、補正値入力装置１から転送された補正値データに基づきワークの加工部位における寸法の補正を行う。
【００２３】
次に、補正値入力装置１及び工作機械２Ａ〜２Ｄの具体的な構成について説明する。図２は、図１に示す補正値入力装置１及び工作機械２Ａ〜２Ｄの構成を示すブロック図である。図２に示すように、補正値入力装置１は、表示部１０、操作ボタン２０（操作部）、演算処理部３０、通信部４０、及び記憶部５０を備えている。表示部１０は、例えば液晶画面（表示画面）に画像を表示する表示装置で構成される。この表示部１０の表示画面上にタッチパネル１１（操作部）が配置されている。このタッチパネル１１は、オペレータの表示画面のタッチ操作の位置又は領域を検出し、その位置又は領域に応じた検出信号を演算処理部３０に出力する。このタッチパネル１１が、表示部１０で表示された情報のいずれかを入力するための操作部を構成する。操作ボタン２０は、補正値入力装置１に設けられたボタン（スイッチ等でもよい。）であって、オペレータが操作可能な操作部を構成する。
【００２４】
演算処理部３０は、補正値入力装置１の制御全般を司る処理部である。この演算処理部３０は、制御部３１、入力部３２、及び転送部３３を有している。なお、演算処理部３０の構成（演算処理部３０が備える各部の構成）は、ＣＰＵ（Central Processing Unit ）やマイクロコンピュータなどの演算装置が記憶部５０に記憶されているプログラムに従って実行する制御や処理に相当する。
【００２５】
制御部３１は、オペレータによる操作部の操作に応じて、表示部１０の表示画面への各種情報を表示する制御を行う。本実施形態では、制御部３１は、複数種類の工具に付された工具番号と、複数の加工部位を認識可能な複数の名称と、複数種類の工具に対応する複数の補正値と、複数種類の工具による加工が行われる際の軸方向（複数種類の工具の移動方向）とを表示部１０の表示画面に表示する（後述する図７参照）。
【００２６】
入力部３２は、オペレータによる操作部の操作により選択された名称に対応つけられた補正値を補正値入力装置１に入力して設定する。また、入力部３２は、オペレータによる操作部の操作に応じて、入力した補正値を増減する。
【００２７】
転送部３３は、補正値を工作機械に転送するための操作ボタン２０（例えば操作ボタンのうちの転送実行ボタン）の操作に応じて、入力部３２により入力された補正値を示す補正値データを通信部４０を介して工作機械に転送する。
【００２８】
通信部４０は、工作機械２Ａ〜２Ｄ及びＰＣ７とデータ通信を実行する処理部である。具体的には、通信部４０は、ＰＣ７から送信される工作機械情報及びワーク情報を受信し、受信した工作機械情報及びワーク情報を演算処理部３０に出力する。また、通信部４０は、転送部３３による転送処理に応じて補正値データを所定の工作機械に送信する。上述したように、本実施形態では、通信部４０は、無線で工作機械２Ａ〜２Ｄ及びＰＣ７とデータ通信を実行する。
【００２９】
記憶部５０は、上述したように、演算処理部３０における各部の制御を実行させるためのプログラムを記憶する。また、記憶部５０は、ＰＣ７から送信される工作機械情報及びワーク情報を記憶する。また、記憶部５０は、図２に示すように、データベース５１を備えている。データベース５１は、工作機械毎に、工具番号と、補正番号と、工具の用途（種類）と、名称と、補正値と、加工の軸方向と、を対応つけて記憶する（後述する図５参照）。
【００３０】
図２に示すように、工作機械２Ａは、通信部６１、工作機械制御部６２、及び旋盤本体６３を有している。なお、工作機械２Ｂ〜２Ｄは、工作機械２Ａの構成（通信部６１、工作機械制御部６２、及び旋盤本体６３）と同一の構成であっても異なる構成であってもよい。
【００３１】
通信部６１は、補正値入力装置１とデータ通信を実行する処理部である。本実施形態では、通信部６１は、補正値入力装置１から送信される補正値データを受信する。上述したように、通信部６１は、無線で補正値入力装置１とデータ通信を実行する。工作機械制御部６２は、旋盤本体６３を含む工作機械１の制御全般を司る処理部である。旋盤本体６３は、ワークを回転させ、バイトと呼ばれる工具（ツール）でワークを削る機械である。
【００３２】
旋盤本体６３の構造の一例について簡単に説明する。図３は、旋盤本体６３の構造を示す断面図である。図３に示すように、旋盤本体６３は、モータ（図示せず）の回転力を伝達する主軸７１と、ワークＷを保持（把持）するチャック７２と、ワークＷを削る工具８２（ツール）とを有している。
【００３３】
主軸７１は、モータの回転に伴って軸心Ａを中心に回転する。チャック７２は、軸心Ａと同軸上に主軸７１に固定されている。このチャック７２は、図示しないチャック移動機構の動作に応じて、三方爪７２ａが径方向（図３に示す方向Ｓ）に移動することによりワークＷを保持する。すなわち、円筒形状のワークＷがチャック７２の三方爪７２ａの間に挿入され、三方爪７２ａが径方向内側に移動することによりチャック７２が閉まる。これにより、円筒形状のワークＷがチャック７２に保持（把握）される。この把握力は主軸７１が回転した際にワークＷをしっかり保持できる程度の大きな力とされる。この状態で主軸７１が回転すると、チャック７２も回転し、チャック７２に保持されたワークＷも回転する。
【００３４】
８角柱形状のタレット８０の８つの面のそれぞれにホルダー８１を介して８種類の工具８２が取り付けられている。工具８２は、回転しているワークＷの周面を削るためのチップ８２ａが取り付けられている。旋盤加工用の工具（バイト）として、例えば、上外径切削用、中外径切削用、下外径切削用、上内径切削用、中内径切削用、下内径切削用、端面切削用など、用途に応じたものが設けられている。なお、図３に示す例では、中外径切削用の工具がワークＷを削っている状態を示している。
【００３５】
ツールボックス９０は、軸心Ｂを中心にタレット８０を回転させる機構を備えている。ツールボックス９０が加工設定値に基づいてタレット８０を回転させることにより、ワークＷの加工に用いる工具が自動的に切り替えられる。各工具には工具番号が付されている。
【００３６】
ツールボックス９０は、図示しないガイドに沿って、図３に示すようなワークＷに向かう方向Ｔ（Ｘ軸方向）や、軸心Ａと平行な方向Ｕ（Ｚ軸方向）に移動する機構を備えている。ツールボックス９０が移動することにより、タレット８０に取り付けられた工具８２も方向Ｔや方向Ｕに移動する。なお、工具８２の方向Ｔを切り込み方向という。また、工具８２の切り込み方向Ｔの移動量を切り込み量という。また、工具８２の方向Ｕを送り方向という。また、工具８２の送り方向Ｕの移動量を送り量という。この工具８２が切り込み方向Ｔに移動することにより、チップ８２ａがワークＷの周面と接触する。これにより、円筒形状のワークＷの周面が削られる。また、この工具８２が送り方向Ｕに移動することにより、ワークＷの周面が送り方向Ｕに向かって順に削られていく。
【００３７】
上記した「加工設定値」は、「ツールの軌跡」、「ツールの送り速度」、「送りの加減速」、及び「ツールの種類」のデータを含んでいる。これらのデータは、工具８２の移動及び種類を制御するためのデータである。ここで、「ツールの軌跡」は、工具８２の刃先（すなわちチップ８２ａにおけるワークＷと接触する先端部）がどのような軌跡を描いて移動するかを示すデータである。つまり、「ツールの軌跡」は、工具８２の刃先の切り込み量及び送り量がどのように変化するかを示すデータである。このデータは、例えば座標データ（ｘ，ｙ，ｚ）で表される。
【００３８】
「ツールの送り速度」は、工具８２の送り方向Ｕの移動速度に関するデータである。「送りの加減速」は、工具８２の送り方向Ｕの加速度・減速度に関するデータである。「ツールの種類」は、工具８２の種類（工具８２のチップ８２ａがどのタイプであるか）を示すデータである。
【００３９】
これら工具８２の移動及び種類を制御するためのデータに基づいて工具８２（すなわちツールボックス９０）が工作機械制御部６２により制御される。なお、「ツールの軌跡」、「ツールの送り速度」、「送りの加減速」、及び「ツールの種類」のデータは、加工設定値の加工プログラムとして設定されてもよく、また、これらのデータは、加工プログラムによって参照されるパラメータとして設定されてもよい。
【００４０】
また、工作機械制御部６２は、補正値入力装置１から転送される補正値データに基づいて、ワークＷの加工部位における寸法の補正を行う。例えば、工作機械制御部６２は、ワークＷの外径の寸法を現在の寸法よりも５μｍ小さくすることを示す補正値データ（「−５」）を受け取ると、ワークＷの外径の寸法が５μｍ小さくなるように、加工設定値における「ツールの軌跡」、「ツールの送り速度」、及び「送りの加減速」のデータを変更する。これにより、ワークＷの外径の寸法が補正される。
【００４１】
図４は、工具８２のチップ８２ａの摩耗と補正値との関係を示す図である。工具８２のチップ８２ａは、ワークＷを加工する回数（ワークＷの個数）に応じて摩耗していく。図４に示す例では、チップ８２ａが２０μｍ摩耗している。例えば、チップ８２ａの刃先とワークＷとの距離が１００μｍである場合、チップ８２ａが摩耗していなければ、工作機械制御部６２は工具８２をＸ軸方向（切り込み方向Ｔ）に１００μｍ移動させればよいが、チップ８２ａが２０μｍ摩耗していれば、工作機械制御部６２は工具８２をＸ軸方向に１２０μｍ移動させる必要がある。すなわち、工作機械制御部６２は、２０μｍだけ余分に工具８２をＸ軸方向に移動させる必要がある。この２０μｍがＸ軸方向の補正値に相当する。
【００４２】
図５は、記憶部５０におけるデータベース５１のデータ構造の一例を示す図である。図５に示すように、データベース５１は、複数種類の工具８２の工具番号（「１」〜「８」）と、複数種類の工具８２に対応する補正番号（「０１４」「０１５」「０１６」「００１」「００２」「００３」「００７」「００８」）と、複数種類の工具８２の用途（種類；上外径切削用、中外径切削用、下外径切削用、上内径切削用、中内径切削用、下内径切削用、端面切削用）と、複数種類の工具８２の用途（つまりワークＷの加工部位）を認識可能な名称（上外径、中外径、下外径、上内径、中内径、下内径、端面１、端面２）と、複数種類の工具８２（加工部位）毎の補正値と、複数種類の工具８２の加工の軸方向とをそれぞれ対応つけて記憶している。
【００４３】
次に、上記の補正値入力装置１の動作について説明する。
【００４４】
本実施形態では、工作機械情報及びワーク情報は、上述したように、予め管理者によってＰＣ７に記憶されているものとする。管理者は、工作機械情報として各工作機械２Ａ〜２Ｄの名称などをＰＣ７に記憶する。また、管理者は、加工対象のワークの設計図面などに基づいて、ワークの名称、ワークの加工部位の設計値、ワークの加工部位の設計値の公差などをＰＣ７に記憶する。また、チップの硬さなどの情報に基づいて、工具に対応する補正値を決定し、決定した補正値をＰＣ７に記憶する。
【００４５】
管理者は、ＰＣ７を操作して、ＰＣ７に記憶されている工作機械情報を読み出し、読み出した工作機械情報を補正値入力装置１に送信する。補正値入力装置１の通信部４０は、ＰＣ７から送信された工作機械情報を受信し、受信した工作機械情報を演算処理部３０に送る。演算処理部３０（例えば制御部３１）は、ＰＣ７から送信された工作機械情報を通信部４０を介して受け取り、受け取った工作機械情報を記憶部５０に登録する。
【００４６】
また、管理者は、ＰＣ７を操作して、ＰＣ７に記憶されているワーク情報（ワークの名称、ワークの加工部位の設計値、ワークの加工部位の設計値の公差、補正値など）を読み出し、読み出したワーク情報を補正値入力装置１に送信する。補正値入力装置１の通信部４０は、ＰＣ７から送信されたワーク情報を受信し、受信したワーク情報を演算処理部３０に送る。演算処理部３０（例えば制御部３１）は、ＰＣ７から送信されたワーク情報を通信部４０を介して受け取り、受け取ったワーク情報を工作機械情報に対応付けて記憶部５０に登録する。
【００４７】
図６は、補正値入力装置１による補正値入力処理の一例を示すフローチャートである。また、図７は、表示部１０の表示画面１０Ａの例を示す図である。図６に示す処理において、補正値入力装置１の動作が開始されると、制御部３１は、記憶部５０に記憶されている工作機械情報に含まれる工作機械２Ａ〜２Ｄの名称を読み出す。そして、制御部３１は、図７に示す表示部１０の表示画面１０Ａに、補正値データの転送先としての工作機械の名称を表示する（ステップＳ１）。
【００４８】
オペレータは、工作機械において所定個数（例えば１００個）のワークが加工されるタイミングで、又は工作機械においてワークの加工が所定時間（例えば１時間）行われたタイミングで、加工済のワークを計測ステーション５に持っていく。そして、オペレータは、計測器３を用いて手動でワークの各加工部位の寸法を計測する。その後、オペレータは、補正値入力装置１のタッチパネル１１又は操作ボタン２０を操作することにより、補正値を入力する対象の工作機械を選択する。
【００４９】
制御部３１は、オペレータによって工作機械が選択されたか否かを判定する（ステップＳ２）。制御部３１は、オペレータによって工作機械が選択されたと判定すると（ステップＳ２のＹＥＳ）、選択された工作機械に対応した工具８２の工具番号、名称、補正値、及び軸方向を表示部１０の表示画面１０Ａに表示する（ステップＳ３）。図７（Ａ）に示す例では、工具番号「１」〜「３」に対応する情報が表示画面１０Ａに表示されている。オペレータは例えば操作ボタン２０を操作して画面をスクロールさせることができる。なお、工具番号「１」〜「８」のすべての情報を一度に表示画面１０Ａに表示してもよい。
【００５０】
オペレータは、名称の位置をタッチすること又は操作ボタン２０を操作することで、表示画面１０Ａに表示されている複数の名称の中の所定の名称を選択する。入力部３２は、オペレータによって名称が選択されたか否か判定する（ステップＳ４）。入力部３２がオペレータによって名称が選択されたと判定した場合は（ステップＳ４のＹＥＳ）、その選択された名称に対応する補正値を入力して設定する（ステップＳ５）。図７（Ａ）及び（Ｂ）に示す例では、オペレータによって名称「中外径」が選択され、「中外径」の補正値が設定されている。
【００５１】
オペレータは、計測器３で計測したワークＷの各部位の寸法計測値と設計値との差に基づいて、入力済みの補正値を増やした方が良いか減らした方が良いかを判断する。そして、オペレータは、操作ボタン２０のうちの数値指定ボタンを操作することで、入力済みの補正値を増減する。図７（Ｂ）に示し例では、オペレータが数値指定ボタンを操作することで、プラスマイナス「１μｍ」ずつ補正値が増減される。入力部３２は、オペレータによって数値指定ボタンが操作されたか否か判定する（ステップＳ６）。入力部３２は数値指定ボタンが操作されたと判定した場合（ステップＳ６のＹＥＳ）、数値指定ボタンの操作に応じて補正値を増減する（ステップＳ７）。
【００５２】
オペレータは補正値の入力が完了すると、操作ボタン２０のうちの転送実行ボタンを操作して、補正値データの転送を実行させる。転送部３３は、オペレータによって転送実行ボタンが選択されたか否か判定する（ステップＳ８）。転送部３３は、オペレータによって転送実行ボタンが選択されたと判定した場合（ステップＳ８のＹＥＳ）、入力部３２で設定された補正値を示す補正値データを、ステップＳ２で選択された工作機械（例えば工作機械２Ｃ）に転送する（ステップＳ９）。
【００５３】
工作機械の通信部６１は、補正値入力装置１から転送される補正値データを受信する。そして、工作機械制御部６２は、補正値データに基づいて工具のワークＷに対する相対移動量を制御することでワークＷの加工部位における寸法の補正を行う。なお、工作機械制御部６２は、補正値データを受け取ったときの次のワークの加工から、ワークＷの加工部位における寸法の補正を行う。
【００５４】
以上に説明したように、本実施形態では、予め決められた複数種類の工具８２でそれぞれ加工されるワークＷの複数の加工部位と、複数の加工部位毎に付与された複数の名称と、複数の加工部位毎に予め設定された複数の補正値とを記憶する記憶部５０と、複数の名称と複数の補正値とを対応つけて表示部１０に表示する制御部３１と、オペレータにより選択された名称に対応つけられた補正値を入力する入力部３２とを備える。このような構成によれば、オペレータは名称を選択することにより補正値の入力を行うことができる。従って、対応表などを参照することなく、工具８２の種類に対応した補正値をミスなく確実に入力することができる。
【００５５】
また、複数の名称は、それぞれ対応する複数の加工部位を認識可能な名称であるので、オペレータは名称に基づいて加工部位（工具の種類、用途）を認識し、加工部位に対応した補正値の入力を行うことができる。よって、補正値の入力ミスが防止される。また、記憶部５０は、複数の加工部位に対応する複数種類の工具８２に付与された工具番号を複数の加工部位毎に記憶し、制御部３１は、複数の名称に対応つけて工具番号を表示部１０に表示するので、オペレータは名称と工具番号に基づいて補正値を選択することができ、より一層、補正値の入力ミスをなくすことができる。
【００５６】
また、記憶部５０は、複数の加工部位毎に予め設定された複数種類の工具８２の移動方向を記憶し、入力部３２は、オペレータにより選択された名称に対応つけられた補正値を、名称に対応つけられた工具８２の移動方向の移動量の補正値として入力する。このような構成によれば、オペレータが工具による加工の軸方向を意識することなく補正値の入力を行うことができる。また、入力部３２は、オペレータの操作に応じて、入力した補正値を増減するので、オペレータによって補正値の微調整を行うことができる。
【００５７】
以上の実施形態について説明したが、本発明は図示の構成等に限定されるものではなく、各構成の機能や用途などを逸脱しない範囲で変更は可能である。
【００５８】
例えば、上記した実施形態では、ＰＣ７が工作機械情報やワーク情報を管理していたが、工場内又は工場外の上位のコントローラが工作機械情報やワーク情報を管理してもよい。また、オペレータが補正値入力装置１の操作部などを操作して、直接、工作機械情報やワーク情報を補正値入力装置１に入力してもよい。
【００５９】
また、上記した実施形態では、ワークの寸法計測値に対する補正値として、工作機械２Ａ〜２Ｄにおいてワークの加工部位の寸法をどの程度補正するかを示す寸法データ（例えばμｍ単位のデータ）で表していたが、工具のワークに対する相対移動量をどの程度補正するかを示すデータで表してもよい。
【００６０】
また、上記した実施形態では、表示画面１０Ａには、工具番号、名称、補正値、軸方向を表示していたが、少なくとも名称を表示すればよく、工具番号などを表示しなくてもよい。また、表示画面１０Ａには、補正番号を工具番号などに対応つけて表示してもよい。
【００６１】
また、上記した実施形態では、工具の用途（加工部位）に対応する名称として、「上外径」「中外径」「下外径」「上内径」「中内径」「下内径」などといった名称を付していたが、オペレータが認識可能な名称であればよく、例えば「外径１」「外径２」「外径３」・・といった名称や、「内径１」「内径２」「内径３」・・といった名称であってもよい。
【符号の説明】
【００６２】
１…補正値入力装置、２Ａ〜２Ｄ…工作機械、１０…表示部、１１…タッチパネル（操作部）、２０…操作ボタン（操作部）、３０…演算処理部、３１…制御部、３２…入力部、３３…転送部、４０…通信部、５０…記憶部、５１…データベース、８２…工具、８２ａ…チップ、Ｗ…ワーク
【図１】
2016162265.tif 000003
【図２】
2016162265.tif 000004
【図３】
2016162265.tif 000005
【図４】
2016162265.tif 000006
【図５】
2016162265.tif 000007
【図６】
2016162265.tif 000008
【図７】
2016162265.tif 000009